(57)【要約】【課題】発信機の配置箇所の状況に応じて発信情報に設定することができる発信情報活用システムを提供する。【解決手段】発信情報活用システムは、判定機構と、発信機とを具備する。判定機構は、所定の装置への給電方式を判定する。発信機は、受信側での処理に用いられる情報であって、複数割り当てられる情報である発信情報を、判定機構により判定される給電方式に応じて変更する。【選択図】図１
2019118152.tif 000002
【特許請求の範囲】
【請求項１】
光源と、
点灯回路と、
蓄電池と、
給電方式を判定する判定部と、
を具備する照明装置と；
前記照明装置から電力が供給され、受信側での処理に用いられる発信情報を発信する発信機と；
を具備し、
前記蓄電池は、前記判定部により前記商用電源による電力供給が停止したと判定された
場合、前記点灯回路と前記発信機とに対して電力を供給し、前記発信機は前記蓄電池から供給された電力に基づき発信情報を発信
することを特徴とする
発信情報活用システム。
【発明の詳細な説明】
【技術分野】
【０００１】
本発明の実施形態は、発信情報活用システムに関する。
【背景技術】
【０００２】
従来、例えばビーコンなどの発信機から発信される発信情報に基づいて、ユーザに種々のサービスを提供する技術が知られている。
【先行技術文献】
【特許文献】
【０００３】
【特許文献１】特開２０１１−１２４９６８号公報
【発明の概要】
【発明が解決しようとする課題】
【０００４】
本発明は、停電時においても発信機を動作させることを目的とする。
【課題を解決するための手段】
【０００５】
本実施形態の発信情報活用システムは、判定機構と、発信機とを具備する。判定機構は、所定の装置への給電方式を判定する。発信機は、受信側での処理に用いられる情報であって、複数割り当てられる情報である発信情報を、判定機構により判定される給電方式に応じて変更する。
【発明の効果】
【０００６】
本発明によれば、停電時においても発信機を動作させることができる。
【図面の簡単な説明】
【０００７】
【図１】図１は、実施形態１に係る発信情報活用システムの概略構成を示す図である。
【図２】図２は、実施形態１に係る発信機の構成を示すブロック図である。
【図３】図３は、実施形態１に係る発信機の記憶部に記憶される情報の一例を示す図である。
【図４】図４は、実施形態１に係る照明装置の構成を示す回路ブロック図である。
【図５】図５は、実施形態１に係る照明装置の構成を示す回路ブロック図である。
【図６】図６は、実施形態１に係るサーバの構成を示すブロック図である。
【図７】図７は、実施形態１に係るコンテンツ情報記憶部に記憶される情報の一例を示す図である。
【図８】図８は、実施形態１に係る携帯端末の構成を示すブロック図である。
【図９】図９は、実施形態１に係る発信情報活用システムにおける発信情報活用処理の手順を示すシーケンス図である。
【図１０】図１０は、実施形態２に係る発信情報活用システムの概略構成を示す図である。
【図１１】図１１は、実施形態２に係るサーバの構成を示すブロック図である。
【図１２】図１２は、実施形態２に係るアプリ情報記憶部に記憶される情報の一例を示す図である。
【図１３】図１３は、実施形態２に係る携帯端末の構成を示すブロック図である。
【図１４】図１４は、実施形態２に係る発信情報活用システムにおける発信情報活用処理の手順を示すシーケンス図である。
【図１５】図１５は、実施形態３に係る発信情報活用システムの概略構成を示す図である。
【図１６】図１６は、実施形態３に係るサーバの構成を示すブロック図である。
【図１７】図１７は、実施形態３に係るグループ情報記憶部に記憶される情報の一例を示す図である。
【図１８】図１８は、実施形態３に係る発信情報活用システムにおける発信情報活用処理の手順を示すシーケンス図である。
【発明を実施するための形態】
【０００８】
以下で説明する実施形態１〜３に係る発信情報活用システム１〜３は、所定の装置への給電方式を判定する判定機構と、受信側での処理に用いられる情報であって、複数割り当てられる情報である発信情報を、判定機構により判定される給電方式に応じて変更する発信機４０と、を具備する。
【０００９】
また、以下で説明する実施形態１〜３に係る発信情報活用システム１〜３は、携帯端末１０，１０Ａ，１０Ｂと、サーバ１００，１００Ａ，１００Ｂと、をさらに具備し、携帯端末１０，１０Ａ，１０Ｂは、携帯端末１０，１０Ａ，１０Ｂを識別する端末情報と発信機４０から受信した発信情報とをサーバ１００，１００Ａ，１００Ｂへ送信し、サーバ１００，１００Ａ，１００Ｂは、携帯端末１０，１０Ａ，１０Ｂから発信情報と携帯端末１０，１０Ａ，１０Ｂを識別する端末情報とを受信した場合、受信した発信情報に基づく所定の処理を行う。
【００１０】
また、以下で説明する実施形態１〜３に係る発信情報活用システム１〜３は、携帯端末１０，１０Ａ，１０Ｂと、サーバ１００，１００Ａ，１００Ｂと、をさらに具備し、携帯端末１０，１０Ａ，１０Ｂは、携帯端末１０，１０Ａ，１０Ｂを識別する端末情報を発信機４０へ送信し、サーバ１００，１００Ａ，１００Ｂは、発信機４０から発信情報と携帯端末１０，１０Ａ，１０Ｂを識別する端末情報とを受信した場合、受信した発信情報に基づく所定の処理を行う。
【００１１】
また、以下で説明する実施形態１〜３に係る発信情報活用システム１〜３において、サーバ１００，１００Ａ，１００Ｂは、発信情報と端末情報とを受信した場合、端末情報により識別される携帯端末１０，１０Ａ，１０Ｂ又は携帯端末１０，１０Ａ，１０Ｂに関連付けられた他の携帯端末１０Ｃに対して、発信情報に基づく処理を行う。
【００１２】
また、以下で説明する実施形態１〜３に係る発信情報活用システム１〜３において、サーバ１００，１００Ａ，１００Ｂは、発信情報に基づく処理として、端末情報により識別される携帯端末１０，１０Ａ，１０Ｂ又は携帯端末１０，１０Ａ，１０Ｂに関連付けられた他の携帯端末１０Ｃに対して、発信情報に基づくコンテンツを提供する。
【００１３】
また、以下で説明する実施形態１〜３に係る発信情報活用システム１〜３において、サーバ１００，１００Ａ，１００Ｂは、発信情報に基づく処理として、端末情報により識別される携帯端末１０，１０Ａ，１０Ｂ又は携帯端末１０，１０Ａ，１０Ｂに関連付けられた他の携帯端末１０Ｃに対して、発信情報に基づくアプリケーションに関する処理を行うように指示する。
【００１４】
また、以下で説明する実施形態１〜３に係る発信情報活用システム１〜３において、発信機４０により発信される発信情報を受信した場合、発信情報に基づくアプリケーションに関する処理を行う携帯端末１０，１０Ａ，１０Ｂを具備する。
【００１５】
また、以下で説明する実施形態１〜３に係る発信情報活用システム１〜３は、蓄電池５３をさらに具備する。判定機構は、給電方式として、商用電源ＣＰによる電力供給か、蓄電池５３による電力供給かを判定する。
【００１６】
また、以下で説明する実施形態１〜３に係る発信情報活用システム１〜３は、所定の装置として照明装置５０を具備する。照明装置５０は、光源５１と、判定機構としての判定部５２と、蓄電池５３とを具備し、蓄電池５３は、判定部５２により商用電源ＣＰによる電力供給が停止したと判定された場合、発信機４０に対して電力を供給する。
【００１７】
［実施形態１］
まず、本発明の実施形態１に係る発信情報活用システム１を図面に基づいて説明する。図１は、実施形態１に係る発信情報活用システムの概略構成を示す図である。図１に示す例において発信情報活用システム１は、所定の装置として蓄電池５３（図４参照）を具備する照明装置５０を具備し、照明装置５０の判定部５２が供給方式を判定する場合を例示する。
【００１８】
実施形態１に係る発信情報活用システム１は、携帯端末１０と、発信機４０と、照明装置５０と、サーバ１００とを具備する。例えば、サーバ１００は、携帯端末１０と所定のネットワークを介して通信可能に接続されている。図１に示した発信情報活用システム１には、複数台の携帯端末１０や、複数台の発信機４０や、複数台の照明装置５０や、複数台のサーバ１００が含まれてもよい。
【００１９】
携帯端末１０は、ユーザが所有する情報処理装置である。携帯端末１０は、ユーザが持ち運び可能な情報処理装置であればどのような情報処理装置であってもよく、例えば、スマートフォンや、タブレット型端末や、ノート型ＰＣ（Personal  Computer）や、携帯電話機や、ＰＤＡ（Personal  Digital  Assistant）等により実現される。図１に示す例においては、携帯端末１０としてスマートフォンを用いる場合を説明する。なお、以下では、携帯端末１０をユーザと表記する場合がある。すなわち、以下では、ユーザを携帯端末１０と読み替えることもできる。例えば、携帯端末１０は、発信機４０から発信される情報を受信する。具体的には、携帯端末１０は、発信機４０から発信される発信ＩＤを受信する。また、携帯端末１０は、発信機４０から受信した発信ＩＤをサーバ１００へ送信する。
【００２０】
発信機４０は、例えば、ビーコンなどの定期的に電波（情報）を発信するデバイスである。また、発信機４０は、受信側での処理に用いられる情報であって、複数割り当てられる情報である発信情報として発信ＩＤを発信する。また、発信機４０は、照明装置５０の判定部５２により判定される給電方式に応じて発信ＩＤを変更するが、詳細は後述する。図１に示す例においては、１つの発信機４０を示すが、発信機４０は複数に設置されてもよい。
【００２１】
照明装置５０は、例えば蛍光灯やＬＥＤ（Light  Emitting  Diode）等の光源５１を有する。また、照明装置５０は、商用電源ＣＰから電力が供給される。また、図１に示す例においては、照明装置５０は、発信機４０へ電力を供給する。例えば、照明装置５０は、通常時には、商用電源ＣＰから供給される電力を発信機４０へ供給し、停電時には、照明装置５０内の蓄電池５３から発信機４０へ電力を供給する。なお、図１に示す例においては、１つの照明装置５０を示すが、照明装置５０は複数に設置されてもよい。
【００２２】
サーバ１００は、発信ＩＤと携帯端末１０を識別する端末情報である端末ＩＤとを受信した場合、受信した発信ＩＤに基づく所定の処理を行う情報処理装置である。図１に示す例において、サーバ１００は、携帯端末１０から発信ＩＤと端末ＩＤとを受信する。また、図１に示す例において、サーバ１００は、発信ＩＤに基づく処理として、受信した端末ＩＤにより識別される携帯端末１０に対して、受信した発信ＩＤに基づくコンテンツを提供する。
【００２３】
図１中の左側に示すように、商用電源ＣＰから電力が供給される給電方式である時（以下、「通常時」とする）において、ユーザの携帯端末１０は、発信機４０が発信する発信ＩＤを受信する（ステップＳ１１）。図１に示す例において、携帯端末１０は、発信機４０が通常時に発信する発信ＩＤ「Ｂ１１」を受信する。そして、携帯端末１０は、例えばユーザの操作に応じて、発信機４０から受信した発信ＩＤと携帯端末１０の端末ＩＤとをサーバ１００へ送信する（ステップＳ１２）。図１に示す例において、携帯端末１０は、発信機４０から受信した発信ＩＤ「Ｂ１１」と携帯端末１０の端末ＩＤとをサーバ１００へ送信する。
【００２４】
サーバ１００は、携帯端末１０から発信ＩＤと端末ＩＤとを受信した場合、受信した発信ＩＤに対応するコンテンツを携帯端末１０へ配信する（ステップＳ１３）。図１に示す例においては、サーバ１００は、携帯端末１０から受信した発信ＩＤ「Ｂ１１」に対応するコンテンツ「コンテンツＡ」を携帯端末１０へ配信する。例えば、サーバ１００は、コンテンツ「コンテンツＡ」として、通常時に用いる発信機４０が設置されたエリアの地図情報等と配信する。また、例えば、サーバ１００は、コンテンツ「コンテンツＡ」として、発信機４０のバッテリに関する情報等のメンテナンス情報を携帯端末１０に配信してもよい。なお、上記のようなメンテナンス情報は、発信機４０が携帯端末１０等の外部装置からの指示に応じて携帯端末１０等の外部装置に提供してもよい。
【００２５】
次に、図１の右側に示す商用電源ＣＰから電力の供給が停止し、発信機４０が照明装置５０の蓄電池５３により電力が供給される給電方式である時（以下、「停電時」とする）について説明する。図１の右側に示すように、商用電源ＣＰによる電力の供給が停止し停電状態となる（ステップＳ２１）。この場合、照明装置５０は、商用電源ＣＰによる給電方式から蓄電池５３による給電方式に切り替わり、蓄電池駆動を行う（ステップＳ２２）。ここに、発信機４０への給電方式も商用電源ＣＰによる給電方式から蓄電池５３による給電方式に切り替わる。
【００２６】
給電方式が切り替わった場合、発信機４０は、発信ＩＤを変更する（ステップＳ２３）。図１に示す例において、発信機４０は、通常時に発信する発信ＩＤ「Ｂ１１」から、停電時に発信する発信ＩＤ「Ｂ１２」へ発信ＩＤを変更する。その後、ユーザの携帯端末１０は、発信機４０が発信する発信ＩＤを受信する（ステップＳ２４）。図１に示す例において、携帯端末１０は、発信機４０が停電時に発信する発信ＩＤ「Ｂ１２」を受信する。そして、携帯端末１０は、例えばユーザの操作に応じて、発信機４０から受信した発信ＩＤと携帯端末１０の端末ＩＤとをサーバ１００へ送信する（ステップＳ２５）。図１に示す例において、携帯端末１０は、発信機４０から受信した発信ＩＤ「Ｂ１２」と携帯端末１０の端末ＩＤとをサーバ１００へ送信する。
【００２７】
サーバ１００は、携帯端末１０から発信ＩＤと端末ＩＤとを受信した場合、受信した発信ＩＤに対応するコンテンツを携帯端末１０へ配信する（ステップＳ２６）。図１に示す例においては、サーバ１００は、携帯端末１０から受信した発信ＩＤ「Ｂ１２」に対応するコンテンツ「コンテンツＢ」を携帯端末１０へ配信する。例えば、サーバ１００は、コンテンツ「コンテンツＢ」として、停電時に用いる発信機４０が設置されたエリアの避難経路情報等と配信する。これにより、発信情報活用システム１は、発信機４０の配置箇所の状況に応じて適切な発信情報に設定することができる。したがって、発信情報活用システム１は、ユーザの周囲の状況に応じて適切なコンテンツを配信することができる。
【００２８】
［発信機の構成］
図２を用いて、発信機４０の構成を説明する。図２は、実施形態１に係る発信機の構成を示すブロック図である。以下に示す発信機４０は、発信ＩＤを発信する。図２に示すように、発信機４０は、発信部４１、通信部４２、記憶部４３、及び制御部４４を有する。以下に、これらの各部の処理を説明する。
【００２９】
発信部４１は、例えば、所定の発信回路等によって実現され、電波（例えば、マイクロ波等）を発信する機能を有する。また、発信部４１は、定期的に電波（情報）を発信する。
【００３０】
通信部４２は、例えば、所定の通信回路等によって実現される。通信部４２は、図示しない所定のネットワークと有線又は無線で接続される。そして、通信部４２は、図示しない所定のネットワークを介して、サーバ１００や他の発信機４０との間で情報の送受信を行ってもよい。また、通信部４２は、発信部４１と統合されてもよい。また、通信部４２は、Ｂｌｕｅｔｏｏｔｈ（登録商標）やＢＬＥ（Bluetooth  Low  Energy）等の無線通信技術により通信を行ってもよい。
【００３１】
記憶部４３は、制御部４４による各種処理に必要なデータおよびプログラムを格納する。また、記憶部４３は、例えば発信部４１により発信する発信ＩＤなど各種情報を格納する。なお、記憶部４３とは、ＲＡＭ（Random  Access  Memory）、ＲＯＭ（Read  Only  Memory）、フラッシュメモリ（Flash  Memory）などの半導体メモリ素子などの記憶装置であってもよい。図３は、実施形態１に係る発信機の記憶部に記憶される情報の一例を示す図である。実施形態１に係る記憶部４３には、図３に示すように、発信機４０が発信する複数の発信ＩＤが記憶される。図３に示すように、記憶部４３は、発信機４０が発信する発信ＩＤとして、「Ｂ１１」、「Ｂ１２」等を記憶する。
【００３２】
制御部４４は、各種の処理手順などを規定したプログラムおよび所要データを格納するための内部メモリを有し、これらによって種々の処理を実行するが、特に本発明に密接に関連するものとしては、指示部４５と、受付部４６と、変更部４７とを有する。
【００３３】
指示部４５は、所定の情報を発信するように発信部４１に指示する。例えば、指示部４５は、記憶部４３に記憶された発信ＩＤを発信するように発信部４１に指示する。具体的には、指示部４５は、記憶部４３に記憶された発信ＩＤのうち、変更部４７により発信する発信ＩＤとされた発信ＩＤを発信するように発信部４１に指示する。また、指示部４５は、所定の情報を送信するように通信部４２に指示してもよい。
【００３４】
受付部４６は、照明装置５０から給電方式に関する情報を受け付ける。例えば、受付部４６は、通信部４２や図示しない接続線等を介して照明装置５０から、給電方式が商用電源ＣＰによる電力供給か、蓄電池５３による電力供給かに関する情報を受け付ける。また、受付部４６は、例えば、通信部４２を介して所定の外部装置から各種の情報を受け付ける。
【００３５】
変更部４７は、受付部４６により給電方式に関する情報が受け付けられた場合、受け付けられた給電方式に応じて発信する発信ＩＤを変更する。例えば、変更部４７は、受付部４６により給電方式が蓄電池による電力供給であることを示す情報が受け付けられた場合、記憶部４３に記憶された発信ＩＤのうち、停電時に発信する発信ＩＤに発信する発信ＩＤを変更する。具体的には、変更部４７は、受付部４６により給電方式が蓄電池による電力供給であることを示す情報が受け付けられた場合、記憶部４３に記憶された発信ＩＤのうち、停電時に発信する発信ＩＤ「Ｂ１２」に発信する発信ＩＤを変更する。
【００３６】
［照明装置の構成］
続いて、図４及び図５を用いて、照明装置５０の構成を説明する。図４及び図５は、実施形態１に係る照明装置の構成を示す回路ブロック図である。具体的には、図４は、通常時における照明装置の構成を示す回路ブロック図である。また、具体的には、図５は、停電時における照明装置の構成を示す回路ブロック図である。図４及び図５に示すように、照明装置５０は、光源５１、判定部５２、蓄電池５３、点灯回路５４、及び非常用点灯回路５５を有する。以下に、これらの各部の処理を説明する。
【００３７】
上述したように、光源５１は、例えば蛍光灯やＬＥＤ等である。また、判定部５２は、給電方式として、商用電源ＣＰによる電力供給か、蓄電池５３による電力供給かを判定する。なお、本実施形態における判定部５２は、商用電源ＣＰによる電力供給か、蓄電池５３による電力供給かを判定できれば、例えば停電検出回路等、種々の構成を有してもよい。また、判定部５２は、給電方式に関する情報を発信機４０へ送信する。例えば、判定部５２は、図示しない通信回路や接続線等を介して、発信機４０に給電方式が商用電源ＣＰによる電力供給か、蓄電池５３による電力供給かに関する情報を送信する。蓄電池５３は、判定部５２により商用電源ＣＰによる電力供給が停止したと判定された場合、発信機４０に対して電力を供給する。また、蓄電池５３には、目的に応じて種々の蓄電池を適宜用いられる。また、点灯回路５４及び非常用点灯回路５５は、光源５１の種類に応じて種々の点灯回路が適宜用いられる。
【００３８】
ここで、判定部５２は、給電方式に応じて、照明装置５０内のスイッチＳＷ１１，ＳＷ１２の接続を切り替える。この点について、以下説明する。
【００３９】
図４は、通常時における照明装置５０におけるスイッチＳＷ１１，ＳＷ１２，ＳＷ１３の状態を示す。通常時において、スイッチＳＷ１１はノードＮ１１に接続し、スイッチＳＷ１２はノードＮ１３に接続しておらず、スイッチＳＷ１３はノードＮ１４に接続する。そのため、光源５１には商用電源ＣＰから電力が供給され、光源５１は点灯回路５４により点灯する。このとき、蓄電池５３にも商用電源ＣＰから電力が供給され、通常時においては、商用電源ＣＰにより蓄電池５３は充電を行う。また、発信機４０にも、商用電源ＣＰから電力が供給される。なお、照明装置５０が停電時などの非常時にのみ点灯する非常灯等の照明装置である場合、通常時において、スイッチＳＷ１１はノードＮ１１，Ｎ１２のいずれにも接続しなくてもよい。
【００４０】
また、図５は、停電時における照明装置５０におけるスイッチＳＷ１１，ＳＷ１２の状態を示す。停電時において、スイッチＳＷ１１はノードＮ１２に接続し、スイッチＳＷ１２はノードＮ１３に接続し、スイッチＳＷ１３はノードＮ１４に接続しない。そのため、光源５１には蓄電池５３から電力が供給され、光源５１は非常用点灯回路５５により点灯する。このとき、発信機４０にも、蓄電池５３から電力が供給される。
【００４１】
［サーバの構成例］
次に、図６を用いて、実施形態１に係るサーバ１００の構成について説明する。図６は、実施形態１に係るサーバの構成を示すブロック図である。図６に示すように、サーバ１００は、通信部１１０と、記憶部１２０と、制御部１３０とを有する。なお、サーバ１００は、サーバ１００の管理者等から各種操作を受け付ける入力部（例えば、キーボードやマウス等）や、各種情報を表示するための表示部（例えば、液晶ディスプレイ等）を有してもよい。
【００４２】
通信部１１０は、例えば、ＮＩＣ（Network  Interface  Card）によって実現される。通信部１１０は、図示しない所定のネットワークと有線又は無線で接続される。そして、通信部１１０は、図示しない所定のネットワークを介して、携帯端末１０等との間で情報の送受信を行う。
【００４３】
記憶部１２０は、例えば、ＲＡＭ、フラッシュメモリ等の半導体メモリ素子、または、ハードディスク、光ディスク等の記憶装置によって実現される。実施形態１に係る記憶部１２０は、図６に示すように、コンテンツ情報記憶部１２１を有する。
【００４４】
コンテンツ情報記憶部１２１は、コンテンツ情報を記憶する。図７は、実施形態１に係るコンテンツ情報記憶部に記憶される情報の一例を示す図である。図７に示すように、コンテンツ情報記憶部１２１は、コンテンツ情報として、「発信ＩＤ」、「コンテンツ」といった項目を有する。
【００４５】
「発信ＩＤ」は、コンテンツに対応する発信ＩＤを示す。「コンテンツ」は、発信ＩＤに対応付けられたコンテンツを示す。図７では「コンテンツ」に「コンテンツＡ」といった概念的な情報が格納される例を示すが、静止画像や動画像やテキストデータやＵＲＬ、又は、これらの格納場所を示すファイルパス名などが格納されてもよい。図７に示す例においては、発信ＩＤ「Ｂ１１」には、コンテンツ「コンテンツＡ」が関連付けられる。また、発信ＩＤ「Ｂ１２」には、コンテンツ「コンテンツＢ」が関連付けられ、発信ＩＤ「Ｂ１３」には、コンテンツ「コンテンツＣ」が関連付けられる。
【００４６】
図６の説明に戻って、制御部１３０は、各種の処理手順などを規定したプログラム及び所要データを格納するための内部メモリを有し、これらによって種々の処理を実行するが、特に本発明に密接に関連するものとしては、受信部１３１、抽出部１３２、及び送信部１３３を有する。
【００４７】
受信部１３１は、発信ＩＤや端末ＩＤを受信する。また、受信部１３１は、受信した発信ＩＤを抽出部１３２に受け渡す。
【００４８】
抽出部１３２は、受信部１３１により発信ＩＤが受信された場合、コンテンツ情報記憶部１２１から受信した発信ＩＤに対応するコンテンツを抽出する。例えば、抽出部１３２は、発信ＩＤ「Ｂ１３」を受信した場合、コンテンツ情報記憶部１２１から発信ＩＤ「Ｂ１３」に対応するコンテンツ「コンテンツＣ」を抽出する。
【００４９】
送信部１３３は、抽出部１３２により抽出されたコンテンツを端末ＩＤにより識別される携帯端末１０に配信する。例えば、送信部１３３は、抽出部１３２により発信ＩＤ「Ｂ１２」に対応するコンテンツ「コンテンツＢ」が抽出された場合、コンテンツ「コンテンツＢ」を端末ＩＤにより識別される携帯端末１０に配信する。
【００５０】
［携帯端末の構成］
続いて、図８を用いて、携帯端末１０の構成を説明する。図８は、実施形態１に係る携帯端末の構成を示すブロック図である。以下に示す携帯端末１０は、発信機４０から発信される発信ＩＤを受信したり、受信した発信ＩＤをサーバ１００へ送信したりする。図８に示すように、携帯端末１０は、通信部１１、記憶部１２、入力部１３、出力部１４、及び制御部１５を有する。以下に、これらの各部の処理を説明する。
【００５１】
通信部１１は、例えば、通信回路等によって実現される。そして、通信部１１は、外部の情報処理装置との間で情報の送受信を行う。例えば、通信部１１は、発信機４０やサーバ１００との間で情報の送受信を行う。通信部１１は、例えば、Ｂｌｕｅｔｏｏｔｈ（登録商標）やＢＬＥ等の無線通信技術により通信を行ってもよい。
【００５２】
記憶部１２は、制御部１５による各種処理に必要なデータおよびプログラムを格納する。また、記憶部１２は、例えば受信した発信ＩＤなど各種情報を格納する。なお、記憶部１２とは、ＲＡＭ、ＲＯＭ、フラッシュメモリなどの半導体メモリ素子、または、ハードディスク、光ディスクなどの記憶装置である。
【００５３】
入力部１３は、ユーザの操作が入力される。例えば、入力部１３は、携帯端末１０がタッチパネルの機能を有する場合、携帯端末１０の表示画面を介してユーザから各種操作を受け付ける。また、入力部１３は、音声認識の機能により携帯端末１０のマイクを介してユーザから各種操作を受け付けてもよい。
【００５４】
出力部１４は、例えば液晶ディスプレイや有機ＥＬ（Electro-Luminescence）ディスプレイ等によって実現される携帯端末１０の表示画面を備え、各種情報を表示する。例えば、出力部１４は、発信機４０から受信した発信ＩＤをサーバ１００に送信するかどうかを確認する画面を出力する。
【００５５】
制御部１５は、各種の処理手順などを規定したプログラムおよび所要データを格納するための内部メモリを有し、これらによって種々の処理を実行するが、特に本発明に密接に関連するものとしては、受信部１６と送信部１７とを有する。
【００５６】
受信部１６は、発信機４０から発信される発信ＩＤを受信する。送信部１７は、発信機４０から受信した発信ＩＤと携帯端末１０を識別する端末ＩＤとをサーバ１００に送信する。なお、送信部１７が発信ＩＤと端末ＩＤとをサーバ１００に送信するタイミングは、ユーザによる操作が行われた時点であってもよい。
【００５７】
なお、携帯端末１０は、発信情報活用アプリケーションがインストールされたスマートフォンやタブレット端末等であってもよい。例えば、携帯端末１０が、発信情報活用アプリケーションがインストールされたスマートフォンである場合、制御部１５や記憶部１２については、携帯端末１０にインストールされた発信情報活用アプリケーションの機能であってもよい。
【００５８】
［発信情報活用システムによる処理］
次に、図９を用いて、実施形態１に係る発信情報活用システム１による発信情報活用処理を説明する。図９は、実施形態１に係る発信情報活用システムにおける発信情報活用処理の手順を示すシーケンス図である。
【００５９】
図９に示すように、通常時において携帯端末１０は、発信機４０から発信ＩＤを受信する（ステップＳ１０１）。例えば、携帯端末１０は、発信機４０から発信ＩＤ「Ｂ１１」を受信する。そして、発信機４０から発信ＩＤを受信した携帯端末１０は、受信した発信ＩＤと携帯端末１０を識別する端末ＩＤとをサーバ１００へ送信する（ステップＳ１０２）。例えば、発信機４０から発信ＩＤを受信した携帯端末１０は、受信した発信ＩＤ「Ｂ１１」と端末ＩＤとをサーバ１００へ送信する。
【００６０】
そして、サーバ１００は、発信ＩＤと端末ＩＤとを受信した場合、発信ＩＤに対応するコンテンツを抽出する（ステップＳ１０３）。例えば、サーバ１００は、携帯端末１０から発信ＩＤ「Ｂ１１」を受信した場合、発信ＩＤ「Ｂ１１」に対応するコンテンツ「コンテンツＡ」を抽出する。
【００６１】
その後、サーバ１００は、抽出したコンテンツ「コンテンツＡ」を携帯端末１０へ配信する（ステップＳ１０４）。例えば、サーバ１００は、抽出したコンテンツ「コンテンツＡ」を、ステップＳ１０２で受信した端末ＩＤにより識別される携帯端末１０へ配信する。
【００６２】
その後、商用電源ＣＰから電力の供給が停止したと判定された場合、照明装置５０は、蓄電池駆動に給電方式を切り替える（ステップＳ１０５）。そして、照明装置５０は、発信機４０に給電方式が蓄電池駆動に変更されたことを通知する（ステップＳ１０６）。
【００６３】
照明装置５０から給電方式の変更を受け付けた発信機４０は、受け付けた給電方式に応じて発信する発信ＩＤを変更する（ステップＳ１０７）。例えば、発信機４０は、照明装置５０から給電方式が商用電源駆動から蓄電池駆動に変更されたことの通知を受け付けた場合、発信する発信ＩＤを発信ＩＤ「Ｂ１１」から発信ＩＤ「Ｂ１２」に変更する。その後、停電時において携帯端末１０は、発信機４０から発信ＩＤを受信する（ステップＳ１０８）。例えば、携帯端末１０は、発信機４０から発信ＩＤ「Ｂ１２」を受信する。そして、発信機４０から発信ＩＤを受信した携帯端末１０は、受信した発信ＩＤと携帯端末１０を識別する端末ＩＤとをサーバ１００へ送信する（ステップＳ１０９）。例えば、発信機４０から発信ＩＤを受信した携帯端末１０は、受信した発信ＩＤ「Ｂ１２」と端末ＩＤとをサーバ１００へ送信する。
【００６４】
そして、サーバ１００は、発信ＩＤと端末ＩＤとを受信した場合、発信ＩＤに対応するコンテンツを抽出する（ステップＳ１１０）。例えば、サーバ１００は、携帯端末１０から発信ＩＤ「Ｂ１２」を受信した場合、発信ＩＤ「Ｂ１２」に対応するコンテンツ「コンテンツＢ」を抽出する。
【００６５】
その後、サーバ１００は、抽出したコンテンツ「コンテンツＢ」を携帯端末１０へ配信する（ステップＳ１１１）。例えば、サーバ１００は、抽出したコンテンツ「コンテンツＢ」を、ステップＳ１０９で受信した端末ＩＤにより識別される携帯端末１０へ配信する。
【００６６】
［実施形態１の効果］
上述のように、実施形態１に係る発信情報活用システム１は、判定機構と、発信機４０とを具備する。判定機構は、所定の装置への給電方式を判定する。発信機４０は、受信側での処理に用いられる情報であって、複数割り当てられる情報である発信情報（実施形態においては、「発信ＩＤ」。以下同じ）を、判定機構により判定される給電方式に応じて変更する。
【００６７】
これにより、発信情報活用システム１は、発信機４０の配置箇所の状況に応じて適切な発信情報に設定することができる。
【００６８】
また、実施形態１に係る発信情報活用システム１は、携帯端末１０と、サーバ１００と、をさらに具備する。携帯端末１０は、携帯端末１０を識別する端末情報（実施形態においては、「端末ＩＤ」。以下同じ）と発信機４０から受信した発信情報とをサーバ１００へ送信する。サーバ１００は、携帯端末１０から発信情報と携帯端末１０を識別する端末情報とを受信した場合、受信した発信情報に基づく所定の処理を行う。
【００６９】
これにより、発信情報活用システム１は、ユーザの周囲の状況に応じてサーバ１００に適切な処理を行わせることができる。
【００７０】
また、実施形態１に係る発信情報活用システム１において、サーバ１００は、発信情報と端末情報とを受信した場合、端末情報により識別される携帯端末１０又は携帯端末１０に関連付けられた他の携帯端末に対して、発信情報に基づく処理を行う。
【００７１】
これにより、発信情報活用システム１は、ユーザの周囲の状況に応じて、ユーザの携帯端末１０や他のユーザの携帯端末１０に対してサーバ１００に適切な処理を行わせることができる。
【００７２】
また、実施形態１に係る発信情報活用システム１において、サーバ１００は、発信情報に基づく処理として、端末情報により識別される携帯端末１０又は携帯端末１０に関連付けられた他の携帯端末に対して、発信情報に基づくコンテンツを提供する。
【００７３】
これにより、発信情報活用システム１は、ユーザの周囲の状況に応じて適切なコンテンツを配信することができる。
【００７４】
また、実施形態１に係る発信情報活用システム１において、蓄電池５３をさらに具備する。判定機構は、給電方式として、商用電源ＣＰによる電力供給か、蓄電池５３による電力供給かを判定する。
【００７５】
これにより、発信情報活用システム１は、商用電源ＣＰによる電力供給か、蓄電池５３による電力供給かの判定に応じて適切な発信情報を発信することができる。
【００７６】
また、実施形態１に係る発信情報活用システム１において、所定の装置として照明装置５０を具備する。照明装置５０は、光源５１と、判定機構としての判定部５２と、蓄電池５３とを具備する。蓄電池５３は、判定部５２により商用電源ＣＰによる電力供給が停止したと判定された場合、発信機４０に対して電力を供給する。
【００７７】
これにより、発信情報活用システム１は、停電時においても発信機４０を動作させることができる。
【００７８】
［実施形態２］
実施形態１に係る発信情報活用システム１においては、携帯端末１０がサーバ１００へ発信機４０の発信ＩＤと端末ＩＤとを送信する例を示した。一方、実施形態２に係る発信情報活用システム２においては、発信機４０が携帯端末１０Ａから端末ＩＤを受信し、受信した端末ＩＤと発信ＩＤとをサーバ１００Ａへ送信する点において実施形態１と相違する。この点について、図１０〜図１４に基づいて説明する。なお、実施形態１と同一部分には、同一符号を付して説明を省略する。
【００７９】
図１０は、実施形態２に係る発信情報活用システムの概略構成を示す図である。図１０では、サーバ１００Ａが発信ＩＤと端末ＩＤとを受信し、携帯端末１０Ａに発信ＩＤに基づくアプリケーション（以下、単に「アプリ」と称する場合がある）に関する処理を行うように指示する例を示す。なお、以下の説明では携帯端末１０Ａにアプリに関する処理を行うよう指示する例について説明するが、実施形態２と同様にコンテンツを提示するようにしてもよい。また、実施形態１において本実施形態と同様にコンテンツの提示に代えてアプリに関する処理を指示するようにしてもよい。
【００８０】
図１０中の左側に示すように、通常時において、ユーザの携帯端末１０Ａは、発信機４０に携帯端末１０Ａを識別する端末ＩＤを送信する（ステップＳ３１）。そして、携帯端末１０Ａから端末ＩＤを受信した発信機４０は、受信した端末ＩＤと発信機４０の発信ＩＤとをサーバ１００Ａへ送信する（ステップＳ３２）。図１０に示す例において、発信機４０は、携帯端末１０Ａから受信した端末ＩＤと発信ＩＤ「Ｂ２１」とをサーバ１００Ａへ送信する。このとき、端末ＩＤを受信した発信機４０とサーバ１００Ａとの距離が発信機４０の通信距離を超える場合、端末ＩＤを受信した発信機４０は、サーバ１００Ａとの間に配置された複数の他の発信機４０に、携帯端末１０Ａから受信した端末ＩＤと発信ＩＤ「Ｂ２１」とを順次転送することにより、サーバ１００Ａへ送信してもよい。
【００８１】
サーバ１００Ａは、発信機４０から発信ＩＤと端末ＩＤとを受信した場合、受信した発信ＩＤに対応するアプリの起動を携帯端末１０Ａに指示する（ステップＳ３３）。図１０に示す例においては、サーバ１００Ａは、発信機４０から受信した端末ＩＤにより識別される携帯端末１０Ａに、受信した発信ＩＤ「Ｂ２１」に対応するアプリ「アプリＡ」を起動するように指示する。例えば、サーバ１００Ａは、アプリ「アプリＡ」として、通常時に用いる発信機４０が設置されたエリアの地図情報等を表示するアプリを起動するよう、携帯端末１０Ａに指示する。
【００８２】
次に、図１０の右側に示す停電時について説明する。図１０の右側に示すように、商用電源ＣＰによる電力の供給が停止し停電状態となる（ステップＳ４１）。この場合、照明装置５０は、商用電源ＣＰによる給電方式から蓄電池５３による給電方式に切り替わり、蓄電池駆動を行う（ステップＳ４２）。ここに、発信機４０への給電方式も商用電源ＣＰによる給電方式から蓄電池５３による給電方式に切り替わる。
【００８３】
給電方式が切り替わった場合、発信機４０は、発信ＩＤを変更する（ステップＳ４３）。図１０に示す例において、発信機４０は、通常時に発信する発信ＩＤ「Ｂ２１」から、停電時に発信する発信ＩＤ「Ｂ２２」へ発信ＩＤを変更する。その後、ユーザの携帯端末１０Ａは、発信機４０に携帯端末１０Ａを識別する端末ＩＤを送信する（ステップＳ４４）。そして、携帯端末１０Ａから端末ＩＤを受信した発信機４０は、受信した端末ＩＤと発信機４０の発信ＩＤとをサーバ１００Ａへ送信する（ステップＳ４５）。図１０に示す例において、携帯端末１０Ａは、発信機４０から受信した発信ＩＤ「Ｂ２２」と携帯端末１０Ａの端末ＩＤとをサーバ１００Ａへ送信する。
【００８４】
サーバ１００Ａは、発信機４０から発信ＩＤと端末ＩＤとを受信した場合、受信した発信ＩＤに対応するアプリの起動を携帯端末１０Ａに指示する（ステップＳ４６）。図１０に示す例においては、サーバ１００Ａは、発信機４０から受信した端末ＩＤにより識別される携帯端末１０Ａに、受信した発信ＩＤ「Ｂ２２」に対応するアプリ「アプリＢ」を起動するように指示する。例えば、サーバ１００Ａは、アプリ「アプリＢ」として、停電時に用いる発信機４０が設置されたエリアの避難経路情報等を表示するアプリを起動するよう、携帯端末１０Ａに指示する。これにより、発信情報活用システム２は、発信機４０の配置箇所の状況に応じて適切な発信情報に設定することができる。したがって、発信情報活用システム２は、ユーザの周囲の状況に応じて適切なアプリに関する処理をユーザの携帯端末１０Ａに指示することができる。
【００８５】
なお、図１０に示す例においては、発信機４０から発信ＩＤを受信したサーバ１００Ａが携帯端末１０Ａに起動させるアプリを指示する例を示したが、発信機４０は、発信ＩＤを携帯端末１０Ａに送信してもよい。発信ＩＤを受信した携帯端末１０Ａは、受信した発信ＩＤに対応するアプリを起動する。この場合、発信情報活用システム２は、サーバ１００Ａを有さなくてもよい。
【００８６】
次に、図１１を用いて、実施形態２に係るサーバ１００Ａの構成について説明する。図１１は、実施形態２に係るサーバの構成を示すブロック図である。図１１に示すように、サーバ１００Ａは、記憶部１２０Ａにアプリ情報記憶部１２２を有する点において、サーバ１００と相違する。
【００８７】
実施形態２に係る記憶部１２０Ａは、図１１に示すように、アプリ情報記憶部１２２を有する。アプリ情報記憶部１２２は、発信ＩＤに対応付けられたアプリケーションに関する情報を記憶する。図１２は、実施形態２に係るアプリ情報記憶部に記憶される情報の一例を示す図である。図１２に示すように、アプリ情報記憶部１２２は、アプリ情報として、「発信ＩＤ」、「アプリ」といった項目を有する。
【００８８】
「発信ＩＤ」は、アプリに対応する発信ＩＤを示す。「アプリ名」は、発信ＩＤに対応付けられたアプリケーションの名称を示す。図１２では「アプリ名」には、例えば「アプリＡ」といったアプリケーション名や、他のアプリケーションを特定する情報などが格納されてもよい。図１２に示す例においては、発信ＩＤ「Ｂ２１」には、アプリ名「アプリＡ」が関連付けられる。また、発信ＩＤ「Ｂ２２」には、アプリ名「アプリＢ」が関連付けられ、発信ＩＤ「Ｂ２３」には、アプリ名「アプリＣ」が関連付けられる。
【００８９】
抽出部１３２は、受信部１３１により発信ＩＤが受信された場合、アプリ情報記憶部１２２から受信した発信ＩＤに対応するアプリ名を抽出する。例えば、抽出部１３２は、発信ＩＤ「Ｂ２３」を受信した場合、アプリ情報記憶部１２２から発信ＩＤ「Ｂ２３」に対応するアプリ名「アプリＣ」を抽出する。
【００９０】
送信部１３３は、抽出部１３２により抽出されたアプリを起動するよう、端末ＩＤにより識別される携帯端末１０Ａに指示する。例えば、送信部１３３は、抽出部１３２により発信ＩＤ「Ｂ２２」に対応するアプリ名「アプリＢ」が抽出された場合、アプリ名「アプリＢ」に対応するアプリケーションを起動するよう、端末ＩＤにより識別される携帯端末１０Ａに指示する。
【００９１】
続いて、図１３を用いて、携帯端末１０Ａの構成を説明する。図１３は、実施形態２に係る携帯端末の構成を示すブロック図である。図１３に示すように、携帯端末１０Ａは、制御部１５に起動部１８を有する点において、携帯端末１０と相違する。起動部１８は、受信部１６によりアプリの起動指示を受信した場合、対応するアプリを起動する。例えば、起動部１８は、受信部１６によりアプリ名「アプリＣ」のアプリの起動指示を受信した場合、アプリＣを起動する。
【００９２】
［発信情報活用システムによる処理］
次に、図１４を用いて、実施形態２に係る発信情報活用システム２による発信情報活用処理を説明する。図１４は、実施形態２に係る発信情報活用システムにおける発信情報活用処理の手順を示すシーケンス図である。
【００９３】
図１４に示すように、通常時において携帯端末１０Ａは、発信機４０に携帯端末１０Ａを識別する端末ＩＤを送信する（ステップＳ２０１）。そして、携帯端末１０Ａから端末ＩＤを受信した発信機４０は、受信した端末ＩＤと発信機４０の発信ＩＤとをサーバ１００Ａへ送信する（ステップＳ２０２）。例えば、発信機４０から発信ＩＤを受信した携帯端末１０Ａは、受信した発信ＩＤ「Ｂ２１」と端末ＩＤとをサーバ１００Ａへ送信する。
【００９４】
そして、サーバ１００Ａは、発信ＩＤと端末ＩＤとを受信した場合、発信ＩＤに対応するアプリ情報を抽出する（ステップＳ２０３）。例えば、サーバ１００Ａは、発信機４０から発信ＩＤ「Ｂ２１」を受信した場合、発信ＩＤ「Ｂ２１」に対応するアプリ名「アプリＡ」を抽出する。
【００９５】
その後、サーバ１００Ａは、抽出したアプリ名「アプリＡ」のアプリを起動するよう、携帯端末１０Ａに指示する（ステップＳ２０４）。例えば、サーバ１００Ａは、抽出したアプリ名「アプリＡ」のアプリを起動するよう、ステップＳ２０２で受信した端末ＩＤにより識別される携帯端末１０Ａへ指示する。
【００９６】
その後、商用電源ＣＰから電力の供給が停止したと判定された場合、照明装置５０は、蓄電池駆動に給電方式を切り替える（ステップＳ２０５）。そして、照明装置５０は、発信機４０に給電方式が蓄電池駆動に変更されたことを通知する（ステップＳ２０６）。
【００９７】
照明装置５０から給電方式の変更を受け付けた発信機４０は、受け付けた給電方式に応じて発信する発信ＩＤを変更する（ステップＳ２０７）。例えば、発信機４０は、照明装置５０から給電方式が商用電源駆動から蓄電池駆動に変更されたことの通知を受け付けた場合、発信する発信ＩＤを発信ＩＤ「Ｂ２１」から発信ＩＤ「Ｂ２２」に変更する。その後、停電時において携帯端末１０Ａは、発信機４０に携帯端末１０Ａを識別する端末ＩＤを送信する（ステップＳ２０８）。そして、携帯端末１０Ａから端末ＩＤを受信した発信機４０は、受信した端末ＩＤと発信機４０の発信ＩＤとをサーバ１００Ａへ送信する（ステップＳ２０９）。例えば、携帯端末１０Ａから端末ＩＤを受信した発信機４０は、受信した発信ＩＤ「Ｂ２２」と端末ＩＤとをサーバ１００Ａへ送信する。
【００９８】
そして、サーバ１００Ａは、発信ＩＤと端末ＩＤとを受信した場合、発信ＩＤに対応するアプリ情報を抽出する（ステップＳ２１０）。例えば、サーバ１００Ａは、発信機４０から発信ＩＤ「Ｂ２２」を受信した場合、発信ＩＤ「Ｂ２２」に対応するアプリ名「アプリＢ」を抽出する。
【００９９】
その後、サーバ１００Ａは、抽出したアプリ名「アプリＢ」のアプリを起動するよう、携帯端末１０Ａに指示する（ステップＳ２１１）。例えば、サーバ１００Ａは、抽出したアプリ名「アプリＢ」のアプリを起動するよう、ステップＳ２０９で受信した端末ＩＤにより識別される携帯端末１０Ａへ指示する。
【０１００】
［実施形態２の効果］
上述のように、実施形態２に係る発信情報活用システム２は、判定機構と、発信機４０とを具備する。判定機構は、所定の装置への給電方式を判定する。発信機４０は、受信側での処理に用いられる情報であって、複数割り当てられる情報である発信情報を、判定機構により判定される給電方式に応じて変更する。
【０１０１】
これにより、発信情報活用システム２は、発信機４０の配置箇所の状況に応じて適切な発信情報に設定することができる。
【０１０２】
また、実施形態２に係る発信情報活用システム２は、携帯端末１０Ａと、サーバ１００Ａと、をさらに具備する。携帯端末１０Ａは、携帯端末１０Ａを識別する端末情報と発信機４０から受信した発信情報とをサーバ１００Ａへ送信する。サーバ１００Ａは、携帯端末１０Ａから発信情報と携帯端末１０Ａを識別する端末情報とを受信した場合、受信した発信情報に基づく所定の処理を行う。
【０１０３】
これにより、発信情報活用システム２は、ユーザの周囲の状況に応じてサーバ１００Ａに適切な処理を行わせることができる。
【０１０４】
また、実施形態２に係る発信情報活用システム２において、サーバ１００Ａは、発信情報と端末情報とを受信した場合、端末情報により識別される携帯端末１０Ａ又は携帯端末１０Ａに関連付けられた他の携帯端末に対して、発信情報に基づく処理を行う。
【０１０５】
これにより、発信情報活用システム２は、ユーザの周囲の状況に応じて、ユーザの携帯端末１０Ａや他のユーザの携帯端末１０Ａに対してサーバ１００Ａに適切な処理を行わせることができる。
【０１０６】
また、実施形態２に係る発信情報活用システム２において、サーバ１００Ａは、発信情報に基づく処理として、端末情報により識別される携帯端末１０Ａ又は携帯端末１０Ａに関連付けられた他の携帯端末に対して、発信情報に基づくアプリケーションに関する処理を行うように指示する。
【０１０７】
これにより、発信情報活用システム２は、ユーザの周囲の状況に応じて携帯端末１０に適切なアプリケーションに関する処理を行うように指示することができる。
【０１０８】
また、実施形態２に係る発信情報活用システム２において、携帯端末１０Ａは、発信機４０により発信される発信情報を受信した場合、発信情報に基づくアプリケーションに関する処理を行う。
【０１０９】
これにより、発信情報活用システム２は、ユーザの周囲の状況に応じて携帯端末１０に適切なアプリケーションに関する処理を行うように指示することができる。
【０１１０】
また、実施形態２に係る発信情報活用システム２において、蓄電池５３をさらに具備する。判定機構は、給電方式として、商用電源ＣＰによる電力供給か、蓄電池５３による電力供給かを判定する。
【０１１１】
これにより、発信情報活用システム２は、商用電源ＣＰによる電力供給か、蓄電池５３による電力供給かの判定に応じて適切な発信情報を発信することができる。
【０１１２】
また、実施形態２に係る発信情報活用システム２において、所定の装置として照明装置５０を具備する。照明装置５０は、光源５１と、判定機構としての判定部５２と、蓄電池５３とを具備する。蓄電池５３は、判定部５２により商用電源ＣＰによる電力供給が停止したと判定された場合、発信機４０に対して電力を供給する。
【０１１３】
これにより、発信情報活用システム２は、停電時においても発信機４０を動作させることができる。
【０１１４】
［実施形態３］
実施形態１，２に係る発信情報活用システム１，２においては、サーバ１００，１００Ａが携帯端末１０，１０Ａに対して所定の処理を行う例を示した。一方、実施形態３に係る発信情報活用システム３においては、端末ＩＤと発信ＩＤとを受信したサーバ１００Ｂが端末ＩＤにより識別される携帯端末１０Ｂと関連付けられた他の携帯端末１０Ｃに対して所定の処理を行う点において実施形態１，２と相違する。この点について、図１５〜図１８に基づいて説明する。なお、実施形態１，２と同一部分には、同一符号を付して説明を省略する。
【０１１５】
図１５は、実施形態３に係る発信情報活用システムの概略構成を示す図である。また、図１５に示す例においては、サーバ１００Ｂが携帯端末１０Ｂと関連付けられた他の携帯端末１０Ｃに、アプリケーションに関する処理を行うよう指示する場合を例に示す。なお、サーバ１００Ｂが携帯端末１０Ｂと関連付けられた他の携帯端末１０Ｃに行う所定の処理は、上記に限らず、コンテンツの配信等、目的に応じて種々の処理を適宜選択してもよい。
【０１１６】
図１５に示すように、商用電源ＣＰによる電力の供給が停止し停電状態となった場合（ステップＳ５１）、照明装置５０は、商用電源ＣＰによる給電方式から蓄電池５３による給電方式に切り替わり、蓄電池駆動を行う（ステップＳ５２）。給電方式が切り替わった場合、発信機４０は、発信ＩＤを変更する（ステップＳ５３）。図１５に示す例において、発信機４０は、通常時に発信する発信ＩＤ「Ｂ３１」から、停電時に発信する発信ＩＤ「Ｂ３２」へ発信ＩＤを変更する。その後、ユーザの携帯端末１０Ｂは、携帯端末１０Ｂを識別する情報を発信機４０へ送信する（ステップＳ５４）。そして、携帯端末１０Ｂから端末ＩＤを受信した発信機４０は、受信した端末ＩＤと発信機４０の発信ＩＤとをサーバ１００Ｂへ送信する（ステップＳ５５）。図１５に示す例において、携帯端末１０Ｂは、発信機４０から受信した発信ＩＤ「Ｂ３２」と携帯端末１０Ｂの端末ＩＤとをサーバ１００Ｂへ送信する。
【０１１７】
サーバ１００Ｂは、発信機４０から発信ＩＤと端末ＩＤとを受信した場合、受信した発信ＩＤに対応するアプリの起動を、携帯端末１０Ｂと関連付けられた他の携帯端末１０Ｃに指示する（ステップＳ５６）。図１５に示す例においては、サーバ１００Ｂは、発信機４０から受信した端末ＩＤに関連付けられた端末ＩＤにより識別される携帯端末１０Ｃに、受信した発信ＩＤ「Ｂ３２」に対応するアプリ「アプリＸ」を起動するように指示する。例えば、サーバ１００Ｂは、アプリ「アプリＸ」として、停電時等の非常時に用いる発信機４０が設置されたエリアの地図情報等を表示するアプリを起動するよう、携帯端末１０Ｃに指示する。これにより、発信情報活用システム３は、ユーザの付近に位置する発信機４０の配置箇所の状況に応じて適切な発信情報に設定することができる。したがって、発信情報活用システム３は、ユーザの周囲の状況に応じて他のユーザに適切な処理を行うことができる。例えば、携帯端末１０Ｂのユーザが、停電等の非常時において移動不可能な場合、他のユーザが所有する携帯端末１０Ｃに携帯端末１０Ｂのユーザの位置等を通知する処理を行うことにより、携帯端末１０Ｂのユーザの救助を行うことができる。
【０１１８】
次に、図１６を用いて、実施形態３に係るサーバ１００Ｂの構成について説明する。図１６は、実施形態３に係るサーバの構成を示すブロック図である。図１６に示すように、サーバ１００Ｂは、記憶部１２０Ｂにグループ情報記憶部１２３を有する点において、サーバ１００と相違する。
【０１１９】
実施形態３に係る記憶部１２０Ｂは、図１６に示すように、グループ情報記憶部１２３を有する。グループ情報記憶部１２３は、端末ＩＤ間の関連付けに基づくグループに関する情報を記憶する。図１７は、実施形態３に係るグループ情報記憶部に記憶される情報の一例を示す図である。図１７に示すように、グループ情報記憶部１２３は、グループ情報として、「グループＩＤ」、「ユーザＩＤ」といった項目を有する。
【０１２０】
「グループＩＤ」は、グループを識別する情報を示す。「ユーザＩＤ」は、対応するグループに属するユーザを識別する情報を示す。図１７に示す例においては、「ユーザＩＤ」には、端末ＩＤが用いられる。図１７に示す例においては、グループＩＤ「Ｇ１１」には、ユーザＩＤ「Ｕ１１」により識別されるユーザとユーザＩＤ「Ｕ１２」により識別されるユーザとが属する。つまり、ユーザＩＤ「Ｕ１１」により識別されるユーザとユーザＩＤ「Ｕ１２」により識別されるユーザとが関連付けられる。なお、一人のユーザが複数のグループに属してもよい。
【０１２１】
抽出部１３２は、受信部１３１により端末ＩＤが受信された場合、グループ情報記憶部１２３から受信した端末ＩＤに関連付けられた端末ＩＤを抽出する。例えば、抽出部１３２は、端末ＩＤ「Ｕ１１」を受信した場合、グループ情報記憶部１２３から端末ＩＤ「Ｕ１１」に関連付けられた端末ＩＤ「Ｕ１２」を抽出する。
【０１２２】
送信部１３３は、抽出部１３２により抽出された端末ＩＤにより識別される携帯端末１０Ｂに、抽出部１３２により抽出されたアプリを起動するよう指示する。例えば、送信部１３３は、抽出部１３２により発信ＩＤ「Ｂ３２」に対応するアプリ名「アプリＸ」が抽出され、端末ＩＤ「Ｕ１２」が抽出された場合、アプリ名「アプリＸ」に対応するアプリケーションを起動するよう、端末ＩＤ「Ｕ１２」により識別される携帯端末１０Ｃに指示する。
【０１２３】
［発信情報活用システムによる処理］
次に、図１８を用いて、実施形態３に係る発信情報活用システム３による発信情報活用処理を説明する。図１８は、実施形態３に係る発信情報活用システムにおける発信情報活用処理の手順を示すシーケンス図である。
【０１２４】
図１８に示すように、商用電源ＣＰから電力の供給が停止したと判定された場合、照明装置５０は、蓄電池駆動に給電方式を切り替える（ステップＳ３０１）。そして、照明装置５０は、発信機４０に給電方式が蓄電池駆動に変更されたことを通知する（ステップＳ３０２）。
【０１２５】
照明装置５０から給電方式の変更を受け付けた発信機４０は、受け付けた給電方式に応じて発信する発信ＩＤを変更する（ステップＳ３０３）。例えば、発信機４０は、照明装置５０から給電方式が商用電源駆動から蓄電池駆動に変更されたことの通知を受け付けた場合、発信する発信ＩＤを発信ＩＤ「Ｂ３１」から発信ＩＤ「Ｂ３２」に変更する。停電時において携帯端末１０Ｂは、発信機４０に携帯端末１０Ｂを識別する端末ＩＤを送信する（ステップＳ３０４）。そして、携帯端末１０Ｂから端末ＩＤを受信した発信機４０は、受信した端末ＩＤと発信機４０の発信ＩＤとをサーバ１００Ｂへ送信する（ステップＳ３０５）。例えば、携帯端末１０Ｂから端末ＩＤを受信した発信機４０は、受信した発信ＩＤ「Ｂ３２」と端末ＩＤとをサーバ１００Ｂへ送信する。
【０１２６】
そして、サーバ１００Ｂは、発信ＩＤと端末ＩＤとを受信した場合、発信ＩＤに対応するアプリ情報を抽出する（ステップＳ３０６）。例えば、サーバ１００Ｂは、発信機４０から発信ＩＤ「Ｂ３２」を受信した場合、発信ＩＤ「Ｂ３２」に対応するアプリ名「アプリＸ」を抽出する。また、サーバ１００Ｂは、発信ＩＤと端末ＩＤとを受信した場合、端末ＩＤに対応するグループ情報を抽出する（ステップＳ３０７）。例えば、サーバ１００Ｂは、発信機４０から端末ＩＤ「Ｕ１１」を受信した場合、端末ＩＤ「Ｕ１１」により識別されるユーザが属するグループＩＤ「Ｇ１１」により識別されるグループに属する他のユーザを識別する端末ＩＤ「Ｕ１２」を抽出する。その後、サーバ１００Ｂは、抽出したアプリ名「アプリＸ」のアプリを起動するよう、携帯端末１０Ｂに関連付けられた他の携帯端末１０Ｃに指示する（ステップＳ３０８）。例えば、サーバ１００Ｂは、抽出したアプリ名「アプリＸ」のアプリを起動するよう、ステップＳ３０５で受信した端末ＩＤに関連付けられた端末ＩＤにより識別される携帯端末１０Ｃへ指示する。
【０１２７】
［実施形態３の効果］
上述のように、実施形態３に係る発信情報活用システム３は、判定機構と、発信機４０とを具備する。判定機構は、所定の装置への給電方式を判定する。発信機４０は、受信側での処理に用いられる情報であって、複数割り当てられる情報である発信情報を、判定機構により判定される給電方式に応じて変更する。
【０１２８】
これにより、発信情報活用システム３は、発信機４０の配置箇所の状況に応じて適切な発信情報に設定することができる。
【０１２９】
また、実施形態３に係る発信情報活用システム３は、携帯端末１０Ｂと、サーバ１００Ｂと、をさらに具備する。携帯端末１０Ｂは、携帯端末１０Ｂを識別する端末情報と発信機４０から受信した発信情報とをサーバ１００Ｂへ送信する。サーバ１００Ｂは、携帯端末１０Ｂから発信情報と携帯端末１０Ｂを識別する端末情報とを受信した場合、受信した発信情報に基づく所定の処理を行う。
【０１３０】
これにより、発信情報活用システム３は、ユーザの周囲の状況に応じてサーバ１００Ｂに適切な処理を行わせることができる。
【０１３１】
また、実施形態３に係る発信情報活用システム３において、サーバ１００Ｂは、発信情報と端末情報とを受信した場合、端末情報により識別される携帯端末１０Ｂ又は携帯端末１０Ｂに関連付けられた他の携帯端末１０Ｃに対して、発信情報に基づく処理を行う。
【０１３２】
これにより、発信情報活用システム３は、ユーザの周囲の状況に応じて、ユーザの携帯端末１０Ｂや他のユーザの携帯端末１０Ｃに対してサーバ１００Ｂに適切な処理を行わせることができる。
【０１３３】
また、実施形態３に係る発信情報活用システム３において、サーバ１００Ｂは、発信情報に基づく処理として、端末情報により識別される携帯端末１０Ｂ又は携帯端末１０Ｂに関連付けられた他の携帯端末１０Ｃに対して、発信情報に基づくアプリケーションに関する処理を行うように指示する。
【０１３４】
これにより、発信情報活用システム３は、ユーザの周囲の状況に応じて携帯端末１０Ｃに適切なアプリケーションに関する処理を行うように指示することができる。
【０１３５】
また、実施形態３に係る発信情報活用システム３において、蓄電池５３をさらに具備する。判定機構は、給電方式として、商用電源ＣＰによる電力供給か、蓄電池５３による電力供給かを判定する。
【０１３６】
これにより、発信情報活用システム３は、商用電源ＣＰによる電力供給か、蓄電池５３による電力供給かの判定に応じて適切な発信情報を発信することができる。
【０１３７】
また、実施形態３に係る発信情報活用システム３において、所定の装置として照明装置５０を具備する。照明装置５０は、光源５１と、判定機構としての判定部５２と、蓄電池５３とを具備する。蓄電池５３は、判定部５２により商用電源ＣＰによる電力供給が停止したと判定された場合、発信機４０に対して電力を供給する。
【０１３８】
これにより、発信情報活用システム３は、停電時においても発信機４０を動作させることができる。
【０１３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【０１４０】
１，２，３      発信情報活用システム
１０，１０Ａ〜１０Ｃ    携帯端末
４０  発信機
４１  発信部
４２  通信部
４３  記憶部
４４  制御部
４５  指示部
４６  受付部
４７  変更部
５０  照明装置
５１  光源
５２  判定部（判定機構）
５３  蓄電池
５４  点灯回路
５５  非常用点灯回路
１００，１００Ａ，１００Ｂ  サーバ
１１０  通信部
１２０，１２０Ａ，１２０Ｂ  記憶部
１２１  コンテンツ情報記憶部
１２２  アプリ情報記憶部
１２３  グループ情報記憶部
１３０  制御部
１３１  受信部
１３２  抽出部
１３３  送信部
【図１】
2019118152.tif 000003
【図２】
2019118152.tif 000004
【図３】
2019118152.tif 000005
【図４】
2019118152.tif 000006
【図５】
2019118152.tif 000007
【図６】
2019118152.tif 000008
【図７】
2019118152.tif 000009
【図８】
2019118152.tif 000010
【図９】
2019118152.tif 000011
【図１０】
2019118152.tif 000012
【図１１】
2019118152.tif 000013
【図１２】
2019118152.tif 000014
【図１３】
2019118152.tif 000015
【図１４】
2019118152.tif 000016
【図１５】
2019118152.tif 000017
【図１６】
2019118152.tif 000018
【図１７】
2019118152.tif 000019
【図１８】
2019118152.tif 000020